(57)【要約】【課題】不揃いな用紙束の給紙カセットへの装填作業を、効率よく、かつ省スペースにて行う。【解決手段】紙葉類処理装置１の給紙カセット７の一部に、互いに直交するように傾斜した斜面１０８および斜面１０９を備えた用紙揃え口１０２からなる用紙揃え機能部１０１を設け、この斜面１０８および斜面１０９の各々に、不揃いの用紙束を短手端面および長手端面が接するように角部を落とし込むことで、短手端面および長手端面が揃った用紙束を作り、この短手端面および長手端面が揃った用紙束を給紙カセット７の給紙装填部１１１に装填することを可能にした紙葉類処理装置１である。【選択図】  図１
2008150134.tif 000002
【特許請求の範囲】
【請求項１】
給紙カセットを備えた紙葉類処理装置であって、
前記給紙カセットに装填されるべく複数の用紙が積層されてなる用紙束の隣り合う第１および第２積層端面がそれぞれ当接され、互いに直交する第１および第２傾斜面を含む用紙揃え機能部を備えたことを特徴とする紙葉類処理装置。
【請求項２】
請求項１記載の紙葉類処理装置において、
前記用紙揃え機能部の前記第１および第２傾斜面の交差部に、前記用紙束の角部が当該第１および第２傾斜面に対して非接触となるように開口部を備えたことを特徴とする紙葉類処理装置。
【請求項３】
請求項１記載の紙葉類処理装置において、
前記用紙揃え機能部の前記第１および第２傾斜面の少なくとも一方に、当該第１および第２傾斜面の相互間の間隔が可変となるようにスライド機構を設けたことを特徴とする紙葉類処理装置。
【請求項４】
請求項１記載の紙葉類処理装置において、
前記用紙揃え機能部の前記第１および第２傾斜面の延長線上の交点から、前記用紙束の長辺側に接する前記第１または第２傾斜面の上端までの距離が、前記長辺の１／２以上であることを特徴とする紙葉類処理装置。
【請求項５】
請求項１記載の紙葉類処理装置において、
前記用紙揃え機能部の前記第１および第２傾斜面が鉛直方向に対して非対称の傾斜角度をなすことを特徴とする紙葉類処理装置。
【請求項６】
請求項１記載の紙葉類処理装置において、
前記用紙揃え機能部には、前記用紙カセットに対する前記用紙の最大装填可能枚数に対応した前記用紙束の積層厚さを、用紙厚に応じて可変に規制する積層厚規制手段を備えたことを特徴とする紙葉類処理装置。
【請求項７】
請求項１記載の紙葉類処理装置において、
前記用紙揃え機能部の前記第１および第２傾斜面の少なくとも一方の上端面の近傍には、用紙厚に応じた前記用紙カセットに対する前記用紙の最大装填可能枚数に対応した前記用紙束の積層厚さ位置を示す目安目盛が設けられていることを特徴とする紙葉類処理装置。
【発明の詳細な説明】
【技術分野】
【０００１】
本発明は、紙葉類処理技術に関し、たとえば、プリンタ、複写機、圧着郵便物作成装置、ファクシミリ、紙幣計数器、紙葉計数器等のように、複数の用紙等の紙葉類が装填される用紙カセットを備えた紙葉類処理装置に適用して有効な技術に関する。
【背景技術】
【０００２】
たとえば、端面が揃えられた用紙等の紙葉類の装着が必要な給紙カセット等を有する紙葉類処理装置として、プリンタ、複写機、圧着はがき作成機、紙折機、紙幣計数器等が知られている。
この場合、従来から、たとえば、特許文献１のように、用紙の幅および長さ方向を規制板で規制して揃える技術が多数知られている。
【０００３】
ところで、これらの紙葉類処理装置の給紙カセットへ用紙束を装着する場合、予め用紙束の端面を揃えてから、給紙カセット等に装着することが望ましい。端面が不揃いだと給紙トラブルの一因となるためである。
【０００４】
用紙束の端面を揃える方法としては、机等の平面を持つ面に用紙端面を当てて、用紙を揃え、更に揃えた用紙端面と直交する用紙端面も同様に、机等の平面に当てて用紙揃えを行うのが一般的である。更に、近くに用紙揃えに適したスペースがない場合は、床や機器の天面または、用紙揃えに適したスペースを探すということが行われ、使用者にとっては、使いづらいという技術的課題があった。
【０００５】
たとえば、省資源やコスト削減のため、各種の企業や事務所等では、片面印刷された使用済みの用紙の裏面を、いわゆる「裏紙」として印刷に再利用することが広く行われており、この場合、使用済みの「裏紙」の用紙束の端面は不揃いであり、用紙揃えの作業が必要になる。
【０００６】
また、印刷済みの用紙に再度、印刷や圧着等の工程を行う場合も、前工程でばらばらになった用紙束を、後工程の装置の給紙カセットへ装填する前に揃える作業が必要になる。
【０００７】
さらに、給紙カセットへ装填可能な用紙枚数に用紙束を仕分けする作業も、従来技術の場合には、作業者がその都度、用紙枚数を正確に数えたり、目分量で行う必要があり、作業効率が悪いとともに、仕分け枚数の過不足が発生しやすく、給紙障害の一因となることが懸念される。
【０００８】
なお、上述の特許文献１の技術は、給紙カセットの内部に、各種サイズの用紙をユニバーサルに装填させるためのものであり、給紙カセットへの用紙束の装填前における用紙揃え等に関する上述の技術的課題の認識は見られない。
【０００９】
【特許文献１】特開平５−２７８８７０号公報
【発明の開示】
【発明が解決しようとする課題】
【００１０】
本発明の目的は、不揃いな用紙束の給紙カセットへの装填作業を、効率よく、かつ省スペースにて行うことが可能な紙葉類処理技術を提供することにある。
本発明の他の目的は、給紙カセットへ装填可能な枚数への用紙束の仕分け作業を簡便かつ的確に行うことが可能な紙葉類処理技術を提供することにある。
【課題を解決するための手段】
【００１１】
本発明の第１の観点は、給紙カセットを備えた紙葉類処理装置であって、
前記給紙カセットに装填されるべく複数の用紙が積層されてなる用紙束の隣り合う第１および第２積層端面がそれぞれ当接され、互いに直交する第１および第２傾斜面を含む用紙揃え機能部を備えた紙葉類処理装置を提供する。
【００１２】
本発明の第２の観点は、第１の観点に記載の紙葉類処理装置において、
前記用紙揃え機能部の前記第１および第２傾斜面の交差部に、前記用紙束の角部が当該第１および第２傾斜面に対して非接触となるように開口部を備えた紙葉類処理装置を提供する。
本発明の第３の観点は、第１の観点に記載の紙葉類処理装置において、
前記用紙揃え機能部の前記第１および第２傾斜面の少なくとも一方に、当該第１および第２傾斜面の相互間の間隔が可変となるようにスライド機構を設けた紙葉類処理装置を提供する。
【００１３】
本発明の第４の観点は、第１の観点に記載の紙葉類処理装置において、
前記用紙揃え機能部の前記第１および第２傾斜面の延長線上の交点から、前記用紙束の長辺側に接する前記第１または第２傾斜面の上端までの距離が、前記長辺の１／２以上である紙葉類処理装置を提供する。
【００１４】
本発明の第５の観点は、第１の観点に記載の紙葉類処理装置において、
前記用紙揃え機能部の前記第１および第２傾斜面が鉛直方向に対して非対称の傾斜角度をなす紙葉類処理装置を提供する。
本発明の第６の観点は、第１の観点に記載の紙葉類処理装置において、
前記用紙揃え機能部には、前記用紙カセットに対する前記用紙の最大装填可能枚数に対応した前記用紙束の積層厚さを、用紙厚に応じて可変に規制する積層厚規制手段を備えた紙葉類処理装置を提供する。
【００１５】
本発明の第７の観点は、第１の観点に記載の紙葉類処理装置において、
前記用紙揃え機能部の前記第１および第２傾斜面の少なくとも一方の上端面の近傍には、用紙厚に応じた前記用紙カセットに対する前記用紙の最大装填可能枚数に対応した前記用紙束の積層厚さ位置を示す目安目盛が設けられている紙葉類処理装置を提供する。
【発明の効果】
【００１６】
本発明によれば、不揃いな用紙束の給紙カセットへの装填作業を、効率よく、かつ省スペースにて行うことが可能な紙葉類処理技術を提供することができる。
また、給紙カセットへ装填可能な枚数への用紙束の仕分け作業を簡便かつ的確に行うことが可能な紙葉類処理技術を提供することができる。
【発明を実施するための最良の形態】
【００１７】
以下、図面を参照しながら、本発明の実施の形態について詳細に説明する。
【００１８】
（実施の形態１）
図１は、本実施の形態の紙葉類処理装置に備えられた用紙揃え機能部の作動状態の一例を示す斜視図であり、図２は、本発明の一実施の形態である紙葉類処理装置の構成の一例を示す斜視図、図３は、本実施の形態の紙葉類処理装置における用紙揃え機能部の作用例を示す斜視図である。
【００１９】
図２に例示される紙葉類処理装置１は、たとえば、電子写真式のカラー画像形成装置であるが、用紙等の紙葉類の端面が揃った状態で装填される必要のある給紙カセットを備えているものであれば、いかなる装置でもよいことはいうまでもない。
【００２０】
同図において、紙葉類処理装置１はケーブルによって不図示のパーソナルコンピュータ等のホスト機器に接続されている。この紙葉類処理装置１は装置本体上部２と装置本体下部３によって構成され、装置本体上部２の上面には操作パネル４が配設され、更に印字用紙の排紙部５が形成されている。
【００２１】
操作パネル４は複数のキーが配設されたキー操作部４ａと、不図示のＣＰＵから出力される表示情報に基づき表示を行う液晶ディスプレイ４ｂで構成されている。
また、排紙部５には、紙葉類処理装置１の内部処理された後述の用紙１０７等の紙葉が、排紙ローラ６の回転によって排出され、排紙部５上に順次積載される。
【００２２】
装置本体下部３には、給紙カセット７や、用紙１０７等の紙葉に所望の処理を行う図示しない処理機構が装着されている。
また、装置本体下部３には、その前面に開閉可能なフロントカバー８が設けられ、このフロントカバー８の下方に上記の給紙カセット７が着脱自在に設けられている。
【００２３】
この給紙カセット７は、用紙を補給する際などには、取手７ａを装置手前に引くことによって、図の矢印ａで示すように手前に引き出すことができる。
上記のフロントカバー８は、たとえばジャム処理やメンテナンス等が行われるときに開放される。
【００２４】
同様に、横蓋９は、装置本体下部３の内部に収容された紙葉処理機構部の着脱等に使用される。この横蓋９はメンテナンス用の側面開放蓋も兼ねている。
図１は、本実施の形態の紙葉類処理装置１において、装置本体下部３から給紙カセット７を引き出した状態を示している。
【００２５】
本実施の形態の紙葉類処理装置１では、給紙カセット７の引き出し方向の外側の上面部、すなわち、給紙カセット７の手前に位置した箇所に、用紙揃え機能部１０１を構成する用紙揃え口１０２を設けている。
この本実施の形態の用紙揃え口１０２は、給紙カセット７に装填される用紙束１０３の端面揃え作業に用いられる。
【００２６】
すなわち、本実施の形態の紙葉類処理装置１では、図３に例示されるように、複数の用紙１０７がばらけた状態に積層された用紙束１０３を、後述のように、角部を下側にして、給紙カセット７に設けられた用紙揃え口１０２に挿入する（落とし込む）ことにより、短手端面１０５（第１積層端面）および長手端面１０６（第２積層端面）が揃えられた用紙束１０４を簡便に得ることができるようになっている。
【００２７】
以下、本実施の形態の紙葉類処理装置１に備えられた用紙揃え機能部１０１についてさらに詳細に説明する。
図４Ａは、本実施の形態の用紙揃え機能部１０１の上部平面図であり、図４Ｂは、図４Ａにおいて給紙カセット７の線Ｂ−Ｂで示される部分の断面図、図４Ｃは、図４Ａにおいて給紙カセット７の線Ｃ−Ｃで示される部分の断面図である。
【００２８】
本実施の形態の用紙揃え口１０２は、図４Ａ、図４Ｂに例示されるように、図３に例示した用紙束１０３の短手端面１０５と長手端面１０６が同時に接するような、逆錐形の溝となっている。この逆錐形の溝は、用紙束１０３の短手端面１０５と接する斜面１０８（第１斜面）と、用紙束１０３の長手端面１０６と接する斜面１０９（第２斜面）を備えている。
【００２９】
斜面１０９は、鉛直方向に対し傾斜角θ１をなして傾斜し、斜面１０８は、鉛直方向に対し傾斜角θ２をなして傾斜している。
この場合、用紙束１０３の９０°の角部に対応して、θ１＋θ２＝９０°であり、この実施の形態の用紙揃え機能部１０１では、θ１＝θ２＝４５°に設定されている。
【００３０】
用紙揃え口１０２の底部には、開口部１１０が設けてある。この開口部１１０を設けたことにより、たとえば、給紙カセット７の高さ寸法ｈが薄くても、用紙１０７の端面が確実に受けられるようになるとともに、用紙１０７の角部の折り曲がりを防ぐことができる、という効果がある。
【００３１】
用紙揃え口１０２の上端の長手開口寸法Ｌは、斜面１０８と斜面１０９の延長線上の交点ｐ０から、最上点までの距離Ｌｐが、使用する用紙束１０３を構成する用紙１０７の長手寸法１０７ａのほぼ１／２以上になるよう設定することが望ましい。
これにより、用紙束１０３の自重によって安定した姿勢で用紙束１０３を用紙揃え口１０２に挿入することが可能になる。
【００３２】
また、開口部１１０の対角寸法Ｌｈは、用紙１０７が当該開口部１１０を通じて脱落することを防ぐために、用紙１０７の短手寸法１０７ｂよりも短くする必要がある。
【００３３】
このような構成の用紙揃え口１０２に対して、ばらけた用紙束１０３を当該用紙束１０３の短手端面１０５と長手端面１０６を下側にして挿入し、これらの用紙端面に対向する面を、作業者が手で軽く押さえることにより、用紙１０７の自重等の援用によって、用紙束１０３を構成する個々の用紙１０７の端面が自動的に揃い、用紙１０７の短手端面１０５、長手端面１０６の各端面が同時に揃えられた用紙束１０４となる。
【００３４】
このようにして得られた用紙束１０４を、給紙カセット７の給紙装填部１１１に装填する。
【００３５】
このように、本実施の形態の紙葉類処理装置１によれば、用紙１０７の装填のために引き出された給紙カセット７の上面に設けられた用紙揃え機能部１０１の用紙揃え口１０２に、不揃いの用紙１０７からなる用紙束１０３の角部を落とし込むことで、端面が自動的に揃った用紙束１０４を簡便かつ迅速に得ることができる。そして、得られた用紙束１０４を、引き出された状態の給紙カセット７の装着部カバー１１にそのまま装填できる。
【００３６】
すなわち、本実施の形態の紙葉類処理装置１によれば、給紙カセット７の一部に複数の用紙１０７が積層された用紙束１０３を揃えるための用紙揃え機能部１０１（用紙揃え口１０２）を備えたことにより、給紙カセット７への用紙の補給時に用紙束１０３を揃えるために必要な作業スペースが不要となるとともに、用紙束１０３の互いに隣り合う短手端面１０５、長手端面１０６、すなわち用紙束１０３の全周の端面を同時にほぼ自動的に揃えることが可能となるため、作業者の負担が減るとともに、用紙の補給作業の所用時間を短縮できる。
【００３７】
（実施の形態２）
図５Ａは、本発明の実施の形態２である用紙揃え機能部１０１Ａの平面図、図５Ｂは、図５Ａにおいて線Ｄ−Ｄで示される部分の断面図である。
また、図６Ａは、本実施の形態２である用紙揃え機能部１０１Ａの他の動作仕様の平面図、図６Ｂは、図６Ａにおいて線Ｅ−Ｅで示される部分の断面図である。
【００３８】
本実施の形態２においては、紙葉類処理装置１および給紙カセット７の構成は、上述の実施の形態１の場合と共通である。以降の各実施の形態の説明においても同様である。
【００３９】
給紙カセット７への給紙に数種類の用紙サイズが装着可能な紙葉類処理装置１の場合、すなわち、Ａ３、Ｂ４、Ａ４、Ｂ５、Ａ５等の多様な用紙を処理できる紙葉類処理装置１において、上述の実施の形態１において例示した用紙揃え機能部１０１（用紙揃え口１０２）の構造的な諸条件を満足させる変形例として、以下に実施の形態２として例示される用紙揃え機能部１０１Ａの構成を用いてもよい。
【００４０】
すなわち、図５Ａ、図５Ｂ等に例示されるように、この実施の形態２の用紙揃え機能部１０１Ａの用紙揃え口１０２の場合、上述の実施の形態１の場合と同様に、θ１＝θ２＝４５°とし、斜面１０９を可動式に支持して一体に設けられたスライド板１１３と、このスライド板１１３を外部から操作して変位させるためのツマミ１１２、このツマミ１１２をガイドするように給紙カセット７の上面に開口されたガイド穴１１３ｂを設けた構造となっている。
【００４１】
すなわち、ガイド穴１１３ｂは、斜面１０８と斜面１０９の対向方向に細長く開口され、ツマミ１１２は、外部から操作可能なようにガイド穴１１３ｂから露出している。
また、給紙カセット７の内部には、スライド板１１３の下端面を滑動自在に支持するスライド面７ｂが設けられている。
【００４２】
この構成により、ツマミ１１２を外部から操作してスライド板１１３を変位させることで、固定の斜面１０８と、スライド板１１３に支持されて移動する斜面１０９との間隔（長手開口寸法Ｌ）を随意の値に設定することが可能となっている。
【００４３】
このような本実施の形態２の用紙揃え機能部１０１Ａ（用紙揃え口１０２）において、図５Ａ（図５Ｂ）に例示されるように、ツマミ１１２をガイド穴１１３ｂに沿って矢印Ｗの方向（斜面１０９と斜面１０８が接近する方向）に移動することにより、スライド板１１３の用紙揃え口１０２の長手開口寸法Ｌは、Ｌ１に設定される。
【００４４】
この長手開口寸法Ｌ１の状態での用紙揃えが可能な用紙は、そのサイズとしてＢ５、Ａ５を例にとった場合、距離ＬｐはＢ５用紙１１５の長手寸法の１／２以上、即ち、２５７／２＝１２８．５ｍｍ以上となり、長手開口寸法Ｌ１は１８２ｍｍ以上とし、開口部１１０の対角寸法Ｌｈは、Ａ５用紙１１４の短手寸法１４８ｍｍ以下になるようにする。
【００４５】
一方、Ａ４、Ｂ４、Ａ３の用紙に対応するには、図６Ａおよび図６Ｂに例示されるように、ツマミ１１２を矢印Ｘの方向（斜面１０９と斜面１０８が離間する方向）に移動させ、スライド板１１３の用紙揃え口１０２の長手開口寸法ＬをＬ２のように広げる。
【００４６】
距離ＬｐはＡ３用紙１１８の長手寸法の１／２以上、即ち、４２０／２＝２１０ｍｍ以上となり、長手開口寸法Ｌ１は、２９７ｍｍ以上とし、開口部１１０の対角寸法Ｌｈは、Ａ４用紙１１７の短手寸法２１０ｍ以下なるようにする。これにより、Ａ３、Ｂ４、Ａ４、Ｂ５、Ａ５の各サイズの用紙からなる用紙束１０３を用紙束１０４に揃える操作が可能となる。
【００４７】
このように本実施の形態２の用紙揃え機能部１０１Ａの場合には、斜面１０９と斜面１０８の間隔である長手開口寸法Ｌ１をスライド板１１３によって可変に設定可能にしたことにより、たとえば、Ａ３、Ｂ４、Ａ４、Ｂ５、Ａ５等の多様なサイズの不揃いな用紙束１０３を、短手端面１０５および長手端面１０６が揃った状態の用紙束１０４にすることが可能になり、用紙揃え機能部１０１Ａ、および当該用紙揃え機能部１０１Ａを備えた紙葉類処理装置１の汎用性が向上する。
【００４８】
（実施の形態３）
上述の実施の形態２と同様に、たとえば、Ａ３、Ｂ４、Ａ４、Ｂ５、Ａ５等の多様なサイズの用紙１０７へ対応する手段として、斜面１０８および斜面１０９における用紙束１０３の挿入角度を変えて対応する構成例を、実施の形態３の用紙揃え機能部１０１Ｂとして以下に例示する。
【００４９】
すなわち、図７Ａは、本発明の実施の形態３である用紙揃え機能部１０１Ｂの構成例を示す平面図であり、図７Ｂは、図７Ａの線Ｆ−Ｆにおける断面図である。
【００５０】
図７Ａ、図７Ｂに例示されるように、本実施の形態３の用紙揃え機能部１０１Ｂ（用紙揃え口１０２）では、斜面１１９と鉛直方向のなす角度をθ１とし、斜面１２０と鉛直方向のなす角度をθ２とした場合、θ１＞θ２、に設定されている。本実施の形態３では、一例として、θ１＝６０°、θ２＝３０°としている。
【００５１】
上述の距離Ｌｐの設定値は、Ａ３用紙１１８の長手寸法の１／２以上、即ち、４２０／２＝２１０ｍｍ以上で、長手開口寸法Ｌの寸法を２４３ｍｍ以上とし、開口部１１０の対角寸法Ｌｈは、Ａ５用紙１１４の短手寸法１４８ｍｍ以下になるようにしている。
【００５２】
これにより、たとえば、Ａ３、Ｂ４、Ａ４、Ｂ５、Ａ５等の多様なサイズの用紙からなる不揃いの用紙束１０３の短手端面１０５および長手端面１０６を、用紙束１０４のように整然と揃えることが可能となり、本実施の形態３の用紙揃え機能部１０１Ｂや、当該用紙揃え機能部１０１Ｂを備えた紙葉類処理装置１の汎用性が増す。
【００５３】
（実施の形態４）
上述の実施の形態１では、用紙を揃える用紙揃え機能部１０１を紙葉類処理装置１内に設けた構造を例示したが、この用紙揃え機能部１０１に用紙束１０４による給紙枚数の最大容量を簡易的に把握する機能を設けた用紙揃え機能部１０１Ｃの例を実施の形態４として説明する。
【００５４】
図８Ａは、本発明の実施の形態４である用紙揃え機能部１０１Ｃの構成例を示す平面図であり、図８Ｂは、図８Ａにおける線Ｆ−Ｆの部分の断面図である。
図９Ａは本実施の形態４の用紙揃え機能部１０１Ｃの他の動作仕様の平面図であり、図９Ｂは、図９Ａにおける線Ｈ−Ｈの部分の断面図である。
【００５５】
通常、紙葉類処理装置１に用紙１０７を給紙する給紙カセット７の場合、給紙の信頼性を確保する為に、給紙の最大装填枚数（用紙束１０４の厚さ寸法）を規定している。この最大装填枚数は用紙の厚さにより、用紙束１０４の最大厚さが異なる場合がある。
【００５６】
たとえば、普通紙（６４〜１０５ｇ／ｍ2）を５５０枚、厚紙（１０６〜１５７ｇ／ｍ2）を２５０枚と規定している紙葉類処理装置１の場合、用紙束１０４の最大厚さは、普通紙で５５ｍｍ程度、厚紙で４５ｍｍ程度となっている。
【００５７】
図８Ａ、図８Ｂ、図９Ａ、図９Ｂに例示される本実施の形態４の用紙揃え機能部１０１Ｃでは、上述の実施の形態１に例示した用紙揃え機能部１０１の用紙揃え口１０２に、当該用紙揃え口１０２に挿入される用紙束１０３の厚さ方向にスライド変位が可能な用紙厚調整板１２１（積層厚規制手段）を取付けた構成となっている。
【００５８】
そして、図８Ａ、図８Ｂの状態の用紙揃え機能部１０１Ｃの用紙揃え口１０２では、厚紙用として用紙厚調整板１２１を矢印Ｙの方向に移動させ、用紙揃え口１０２の用紙挿入部の設定間隔Ｓ１を、たとえば４５ｍｍ程度に設定している。
【００５９】
図９Ａ、図９Ｂの状態の用紙揃え機能部１０１Ｃでは、普通紙用として用紙厚調整板１２１を矢印Ｚ方向に移動させ、用紙揃え口１０２の用紙挿入部の設定間隔Ｓ２を、たとえば５５ｍｍ程度にしている。
【００６０】
このように、本実施の形態４の用紙揃え機能部１０１Ｃでは、当該用紙揃え機能部１０１Ｃを利用して不揃いの用紙束１０３を用紙束１０４に揃える際に、用紙厚調整板１２１の幅方向における設定位置によって、紙葉類処理装置１における用紙厚さ毎の最大容量を把握し、用紙束１０４の最大厚さを、当該用紙束１０４を構成する用紙１０７の厚さ寸法に応じた値に自動的に規制することができる。
【００６１】
この結果、用紙束１０４を給紙カセット７の給紙装填部１１１に装填する前に、紙葉類処理装置１における用紙厚さ毎の用紙束１０４の最大厚さ（最大容量）を把握し、用紙束１０４を構成する用紙１０７の厚さ仕様に応じた適量の厚さの用紙束１０４を給紙カセット７の給紙装填部１１１に装填することが可能となる。
【００６２】
この結果、用紙１０７の厚さ仕様毎の用紙束１０４の最大厚さの過不足に起因する給紙トラブルを未然に確実に防止することができる。
【００６３】
このように、本実施の形態４の用紙揃え機能部１０１Ｃでは、上述の実施の形態１に例示した用紙揃え機能部１０１と同様の用紙揃えの効果に加えて、さらに、用紙１０７の厚さ仕様毎の用紙束１０４の最大容量（最大厚さ寸法）を給紙カセット７への装填前に把握することができるので、作業者の負担軽減と共に、給紙カセット７を利用した給紙に纏わるトラブルを削減できる効果がある。
【００６４】
上述の用紙揃え機能部１０１Ｃでは、設定位置が可変な用紙厚調整板１２１を設けて用紙束１０３（用紙束１０４）の厚さ寸法を物理的に規制する構成例を例示したが、変形例として、図１０の用紙揃え機能部１０１Ｄに例示されるように、用紙揃え口１０２の左右に、厚紙の用紙容量および普通紙の用紙容量の目安を刻印またはシール貼付により目視可能に表示する目安目盛１２２を配置し、用紙１０７の厚さ仕様毎の用紙束１０３（用紙束１０４）の最大容量を作業者が把握できるようにしてもよい。
【００６５】
（実施の形態５）
上述の実施の形態１〜実施の形態４では、給紙カセット７の内部に用紙揃え口１０２を配置した例を示したが、上述の用紙揃え機能部１０１、用紙揃え機能部１０１Ａ、用紙揃え機能部１０１Ｂ、用紙揃え機能部１０１Ｃ、用紙揃え機能部１０１Ｄを、紙葉類処理装置１のいずれの箇所に取付けてもよい。
【００６６】
すなわち、図１１に例示される本実施の形態５の紙葉類処理装置１では、装置本体上部２の排紙部５の近傍に用紙揃え機能部１０１を設けた例を示す。
すなわち、排紙部５に隣接するように、斜面１０８、斜面１０９、開口部１１０からなる用紙揃え口１０２（用紙揃え機能部１０１）が、上向きに開口して配置されている。
【００６７】
なお、この用紙揃え機能部１０１の配置位置は、これに限らず、紙葉類処理装置１の内部構造に干渉しない位置であれば装置本体上部２のどこでもよい。あるいは、場合によっては、紙葉類処理装置１の側面部でもよい。
【００６８】
この本実施の形態４の紙葉類処理装置１のように、装置本体上部２に用紙揃え機能部１０１を設けることにより、給紙カセット７に装填される不揃いの用紙束１０３を用紙揃え口１０２に挿入して短手端面１０５、長手端面１０６を揃えた状態の用紙束１０４として給紙カセット７に装填することができる。
【００６９】
さらに、紙葉類処理装置１の装置本体上部２に紙葉類処理装置１が設けられていることにより、他の装置にて使用するための不揃いの用紙束１０３を用紙束１０４に揃える作業を汎用的に行うことが可能になる。
【００７０】
しかも、紙葉類処理装置１の装置本体上部２に備えられた用紙揃え機能部１０１は、給紙カセット７の引き出し操作を必要とすることなく、紙葉類処理装置１の稼働状態に無関係に随時利用でき、用紙揃え機能部１０１を備えた紙葉類処理装置１の可用性や利便性、汎用性は一層向上する。
【００７１】
なお、本発明は、上述の実施の形態に例示した構成に限らず、その趣旨を逸脱しない範囲で種々変更可能であることは言うまでもない。
【００７２】
たとえば、紙葉類処理装置１としては、プリンタ、複写機、圧着郵便物作成機、紙折機、紙幣計数器等のように、短手端面１０５、長手端面１０６等が揃った状態の用紙束１０４を給紙する必要のある紙葉類処理装置に広く適用できる。
【図面の簡単な説明】
【００７３】
【図１】本発明の一実施の形態である紙葉類処理装置に備えられた用紙揃え機能部の作動状態の一例を示す斜視図である。
【図２】本発明の一実施の形態である紙葉類処理装置の構成の一例を示す斜視図である。
【図３】本発明の一実施の形態である紙葉類処理装置における用紙揃え機能部の作用例を示す斜視図である。
【図４Ａ】本発明の一実施の形態である用紙揃え機能部の上部平面図である。
【図４Ｂ】図４Ａにおいて線Ｂ−Ｂで示される部分の断面図である。
【図４Ｃ】図４Ａにおいて線Ｃ−Ｃで示される部分の断面図である。
【図５Ａ】本発明の実施の形態２である用紙揃え機能部の平面図である。
【図５Ｂ】図５Ａにおいて線Ｄ−Ｄで示される部分の断面図である。
【図６Ａ】本発明の実施の形態２である用紙揃え機能部の他の動作仕様の平面図である。
【図６Ｂ】図６Ａにおいて線Ｅ−Ｅで示される部分の断面図である。
【図７Ａ】本発明の実施の形態３である用紙揃え機能部の構成例を示す平面図である。
【図７Ｂ】図７Ａの線Ｆ−Ｆにおける断面図である。
【図８Ａ】本発明の実施の形態４である用紙揃え機能部の構成例を示す平面図である。
【図８Ｂ】図８Ａにおける線Ｆ−Ｆの部分の断面図である。
【図９Ａ】本発明の実施の形態４の用紙揃え機能部の他の動作仕様の平面図である。
【図９Ｂ】図９Ａにおける線Ｈ−Ｈの部分の断面図である。
【図１０】本発明の実施の形態４の変形例である用紙揃え機能部の構成例を示す平面図である。
【図１１】本発明の実施の形態５である紙葉類処理装置の構成例を示す斜視図である。
【符号の説明】
【００７４】
１  紙葉類処理装置
２  装置本体上部
３  装置本体下部
４  操作パネル
４ａ  キー操作部
４ｂ  液晶ディスプレイ
５  排紙部
６  排紙ローラ
７  給紙カセット
７ａ  取手
７ｂ  スライド面
８  フロントカバー
９  横蓋
１１  装着部カバー
１０１  用紙揃え機能部
１０１Ａ  用紙揃え機能部
１０１Ｂ  用紙揃え機能部
１０１Ｃ  用紙揃え機能部
１０１Ｄ  用紙揃え機能部
１０２  用紙揃え口
１０３  用紙束
１０４  用紙束
１０５  短手端面
１０６  長手端面
１０７  用紙
１０７ａ  長手寸法
１０７ｂ  短手寸法
１０８  斜面
１０９  斜面
１１０  開口部
１１１  給紙装填部
１１２  ツマミ
１１３  スライド板
１１３ｂ  ガイド穴
１１４  Ａ５用紙
１１５  Ｂ５用紙
１１７  Ａ４用紙
１１８  Ａ３用紙
１１９  斜面
１２０  斜面
１２１  用紙厚調整板
１２２  目安目盛
ｈ  給紙カセットの高さ寸法
Ｌ  長手開口寸法
Ｌ１  長手開口寸法
Ｌｈ  開口部の対角寸法
Ｌｐ  距離
Ｓ１  設定間隔
Ｓ２  設定間隔
ｐ０  交点
θ１  斜面の鉛直方向に対する傾斜角
θ２  斜面の鉛直方向に対する傾斜角
【図２】
2008150134.tif 000003
【図４Ａ】
2008150134.tif 000004
【図４Ｂ】
2008150134.tif 000005
【図４Ｃ】
2008150134.tif 000006
【図５Ａ】
2008150134.tif 000007
【図５Ｂ】
2008150134.tif 000008
【図６Ａ】
2008150134.tif 000009
【図６Ｂ】
2008150134.tif 000010
【図７Ａ】
2008150134.tif 000011
【図７Ｂ】
2008150134.tif 000012
【図８Ａ】
2008150134.tif 000013
【図８Ｂ】
2008150134.tif 000014
【図９Ａ】
2008150134.tif 000015
【図９Ｂ】
2008150134.tif 000016
【図１０】
2008150134.tif 000017
【図１１】
2008150134.tif 000018
【図１】
2008150134.tif 000019
【図３】
2008150134.tif 000020